(57)【要約】【課題】年金生活者等が、一定水準以上の快適な生活レベルを維持するための生活様式の改善【解決手段】一般に定年によって、企業、官庁、組織体から離れた人達は、収入が減少して生活レベルが意に反して低くなる。快適な環境で生活したいという欲求は、自然なもので人類共通の願いでもある。又、高度に発達した通信情報網を駆使して快適な環境で仕事、事業を営みたいという人もいる。年金演算プロセッサーを備えて有利な金融の運用を行う。物価の安い他国に居住して年金等の収入源を基金にして金利、配当の高い第３国に預貯金する。居住と仕事の場所は、環境の整った低物価の他国に移す。居住国でのケアと預貯金の第３国での運用はサービス代理会社が行なう。受益者は、一定の経費をサービス代理会社に支払う。【選択図】          図１
2004280762.tif 000002
【特許請求の範囲】
【請求項１】
企業、官庁等を退職した年金生活者の生活水準を向上させるシステムであって、
金国、官庁、自治体等から支給される年金、退職金の一部、全額を金利の高い、安定した第３国の金融機関に預貯金して、有利な利息と配当金を得るために年金演算プロセッサーを備える手段、
該演算プロセッサーは、国際通信情報網に接続するための通信インターフェースと、国際金融情勢を迅速に入力して有利な金利を演算するための演算ユニットと外部記憶装置に記憶してある過去の金融情勢、年金受給者の年金原資を演算プロセッサーのメモリに転送して演算を素早く行うためのメモリーユニットを備えたことを特徴とする快適な生活様式を向上させる方法。
【請求項２】
請求項１において、年金演算プロセッサーの外部記憶装置に国際金融市場の過去のデータと年金受給者の年金原資を格納して、適宜データの更新と必要に応じて演算プロセッサーに転送する手段、
パソコン、携帯電話機、携帯情報端末機から該年金演算プロセッサーにアクセスして、金融データと有利な運用を閲覧する手段を備えたことを特徴とする快適な生活様式を向上させる方法。
【請求項３】
年金演算プロッセサーによって入手した金利の高い第３国に年金を預けて有利な運用を行って生活費を捻出する手段、
生活環境のよい居住国と、前記第３国の金融機関を斡旋することを業とするサービス代理を業として行う手段、
当該、年金生活者の居住国に精通した企業等の退職者を、該年金生活者の生活の援助を業とする手段を備えたことを特徴とする快適な生活様式を向上させる方法。
【請求項４】
前記請求項３において、金利の高い安定した第３国に預金して、その利息、配当によって該年金生活者は、他国での快適な生活を営み余剰金を得た時に、その利益に一定の課金を行ってサービス代理会社に支払う手段、
複数の年金生活者の年金を該手段によって運用して、複数の他国を含めた金融機関に預金して、金融危険分散を行う手段、
得られた利益の一部と余剰金を、サービス代理業の運用経費とする手段を備えたことを特徴とする快適な生活様式を向上させる方法。
【請求項５】
前記請求項４において業として該サービスを提供する会社であって、年金生活者、事業者より預託された資金を金利、配当の高い第三国に預貯金する手段と、
第三国の政情の安定性と経済情勢、為替変動の危険分散の手段として複数以上の自国を含めた第三国に分散して預貯金して安定な高金利と差益を得る手段、
金利の収益によって得られた利益の一部を受益者の保護のために預貯金を含めた資金、資産に保険をサービス代理会社によって掛ける手段を備えたことを特徴とする快適な生活様式を向上させる方法。
【発明の詳細な説明】
【０００１】
【発明の属する技術分野】
本発明は、近年少子化、経済の後退によって生活水準の維持が困難になった、年金生活者の生活環境を向上させる方法を提供ものである。  我が国の生活水準は高いが、他の先進国に比べて物価は高くとても年金だけでは生活出来ない。かつ、銀行預金の利息も最低でその利息にも２０％もの税金がかかる。
【０００２】
第一線をリタイヤして年金生活に入った人たちは、我が国の経済発展を担ってきた功労者である。本発明は気候が温暖で快適な生活できる地域で、お金の心配もなく安楽に生活できる環境とその方法を提供する。生活費の維持のために年金を元手に、高配当、高利息の安定した国の金融機関に預金して、安心で快適な生活ができるようなシステムを提供する事を目的にする。
【０００３】
さらに、通信情報網の発展と通信費の劇的な値下がりと、安価で小型な通信情報端末機の高性能化によって世界中どこで仕事をしても、客先との取引きは自由にできる。通信情報網は世界中をカバーしているから仕事、お金は瞬時にして移動できる。
【０００４】
研究開発、著述業、貿易、サービス業、創造的な仕事等、自国にいなくとも事業をおこなえる業種はたくさんある。生活し易い地球上の地域、場所を選ばないで創造的な仕事に適した、好きな他国で事業は成り立つ。  世界には一部を除いて、業務運用の環境に適した人材、物資の豊富な地域は多い。東西冷戦の終焉によって、グローバルなボーダレス世界が到来した。
【０００５】
事業、勤労によって得られた収入を利息、金利の高い安定した第３国に預ければ、所得はさらに向上する。今や、生活のし易さ、環境にあわせて個人が仕事の場、生活の場を地球上何処にでも選ぶことができる。本発明のシステムは、年金生活者のものだけではない。事業効果と有利な所得を得るためにも最適なシステムである。まさに、インターネット網、コンピュータネットワークに代表される通信情報網の発展の恩恵に人類は浴することができる。
【０００６】
【従来の技術】
例えば従来、企業等を定年退職した人は、退職金を預金してその利息と、国から支給される年金を生活費にあてていた。長期にわたる不況とデフレのために、預金の利息は、ゼロ等しい。株も下落の一途にある。働きたくとも高齢者に仕事はない。これらの人たちの生活水準は下がる一方であって、とても快適で文化的な生活を享受できない。
【０００７】
【発明が解決しようとする課題】
このため、これらの年金生活者は政府の政策に不満が鬱積したり、金融機関、証券会社に不信感を強めている。安心できるのは、もはや現金の所持しかない。これでは、我が国の正常な経済活動は停滞して不況は長期化するだけである。
【０００８】
【発明の目的】
本発明は、かかる従来例の有する不都合を改善し、特に物価の高い我が国の年金の金額は、諸外国に比し絶対額は、高額である。政府、企業、団体から支給される年金を金利、配当利息の高い安定した第３国の金融機関に預けて、その利息と配当金を生活費に充当する。
【０００９】
生活する場所は、自国でもよいが環境のよい温暖で、物価の安い他国の方が適しているかも知れない。本発明は、年金生活者の生活レベルの向上と、これを支援するサービス代理業を起こしてかつ、自国、他国の雇用の促進を目的にする。
【００１０】
業務内容によっては、大都市で事業、仕事をしなくともオフィス費用の安い、環境の良いところで事業、仕事をしても高度に発展した通信情報網によって世界中どこでおこなっても最高の効果を達成できる。人材を必要とする仕事であれば、人件費の安いところ、業種によってそれぞれ特徴のある、金融、物流の効率の良い地域を選べばよい。居住国で雇用が発生すれば、その国の政府国民にとっても幸福なことである。
【００１１】
【課題を解決するための手段】
上記目的を達成するため、請求項１の発明は、年金生活者は、政府、企業等から支給される年金を、金利と利息の高い安全な、第３国に預金して高利息と高い配当金を得て生活費の安く、温暖で環境の良い他の国に居住するシステムであって、世界の金融市場を把握して金利の有利な金融商品に年金原資を預けて、利やザを稼ぐための年金演算プロセッサーを提供すること。
【００１２】
請求項２の発明は、年金演算プロセッサーの構成であって常時変動する世界金融市場の動向を把握して、外部記憶装置にある過去の金融データ、個人年金基礎金額を演算装置に入力して有利な運用を演算する。年金演算プロセッサーはパソコン、デスプレイ、携帯電話機、携帯情報端末機と接続して演算の過程、結果を閲覧できる。演算結果によって有利な運用に移行できる。
【００１３】
請求項３、４、５の発明は、年金生活者が快適な生活が営めるように年金の預金先と、居住地を斡旋するサービス代理業の提案をおこなって、これらを業とする、新たな産業を起こして社会の活性化に役立つこと。年金生活者が他国で生活するための支援をおこなうのと、支援業務を実際に行う人材を、居住地にかって勤務して、その国に精通した企業戦士のシニアに任せる。それに伴って発生する従属的な業務は、その国の人の仕事にする。
【００１４】
従って移住先の第三国に新規な雇用形態が起こるというビジネス・モデルが創出される。運用によって得られた年金生活者から余剰金の何％かをサービス代理の業務経費に充当する。サービス提供を業とする組織、会社、ＮＰＯ（Ｎｏｎ  Ｐｒｏｆｉｔ  Ｏｒｇａｎｉｚａｔｉｏｎ）は、自国でも現地の法人の形態でも良いし、居住国の文化に適応したものが好ましい。
【００１５】
発明者は、これら年金生活者の生活向上システムをＦＳＲＯ（ファラオ：Ｆｕｔｕｒｅ−Ｓｅｎｉｏｒ−Ｒａｋｕｒａｋｕ−Ｏｒｇａｎｉｚａｔｉｏｎ）と命名した。
【００１６】
【発明の実施形態】
［第１実施形態］
【００１７】
以下、本発明の第１実施形態を図１乃至図３に基づいて説明する。図１は、自分の居住国、例えば日本国に住民登録してある。企業等の組織を退職してから年金生活に入ったが、物価が高く生活環境もよくない。又、事業、仕事の職種に合わせて他国で業務をした方が効果的であると判断して、現在の生活と仕事の様式を改善して、生活レベルを高めたいという願望は人類共通の欲求である。
【００１８】
身を削って努力して、経済発展を遂げた先進国においては少子化が最大の課題である。企業等を定年退職したシニアにとって国の厚生年金、企業年金だけでは充実して残りの人生を楽しめない。  少子化、デフレによって年金も縮小されたり、企業年金を無くしたりする企業、組織体が現実に出てきた。
【００１９】
環境の良い、物価の安い国に居住を移して、かつ金利の高い国に外貨預金をして、少ない年金を増やしていく。その中から生活費を捻出すれば快適な生活が営める。事業、仕事を進める上でも同様であって、事業形態にあった地球上の地域から選んでも、高度通信情報網によって効率を追求できる。
【００２０】
図１は、本発明の基本構成を示す。図１において１１は、年金が支給される国であって、即ち国籍と住民登録してある自分の国、Ａ国とする。１２は、年金を基に居住する生活費の安い、環境の整っているＢ国である。１３は、預金金利の高い国、Ｃ国であって年金生活者は、Ａ国で支払われる年金の類を、Ｃ国の金融機関、銀行に預金する。
【００２１】
Ｃ国の金利、利息は、高いから自国のＡ国の少ない年金でも利息は、多くつくから所得は増加する。かつ年金生活者は、非居住者であるから利息に税金はかからない。我が国では、株の配当、銀行預金の利息には、２０％課税される。
【００２２】
図１のＣ国に預金したりあるいは、Ｃ国の株、国債を買ってＣ国に預金して、もっと利回りの高い第３国の株、国債を買って換金した場合、安全で利息の高いＣ国に預金する。こうすることによって実質所得はさらに増えていく。
【００２３】
図１において１４は、年金生活者が生活するＢ国より、Ｃ国に預けた預金を生活費として取り出したり、お金が余った場合には残余金をＣ国の金融機関に預金するお金の流れを示している。
【００２４】
原資は、自国であるＡ国の年金、株の配当の類であって１５は、金利の良い１３のＣ国に預金するお金の流れを示している。１６の点線は、自国であるＡ国と居住国のＢ国との年金生活者自身の移動を示している。居住するＢ国に不動産を持っている場合は、Ｂ国に居住権が得られたり自国とＣ国との往来の費用の控除を自国Ａで受けられる場合もある。
【００２５】
図２は、全世界を通信情報網、インターネット等の通信情報ネットワークにて金融の決済、仕事の流れとｅコマースを示す全体の構成を示すブロック図である。２１は、国際ネットワーク網であって、２１は年金生活者の国籍、住民登録のある自国である。
【００２６】
２３は、年金生活者あるいは事業者が実際に居住する物価の安い、環境良好な国で図１の１２、Ｂ国にあたる。２４、２５、２５ｍｎは２２の自国で支給される年金配当の類を外貨預金する金利の高い国である。
【００２７】
２４〜２５ｍｎは、金利の高い外貨預金の出来る国々であって年金生活者は、次々に金利の高い、世界中で一番金融情勢の環境の良い国を探して、２２から支給される年金を預ける。この様なライフスタイルが確立すると、金融機関の利息、各種の国債、株の配当は、国境をこえて同レベルで競争状態になる。一方、海外第３国にて仕事する人、事業者も同様である。
【００２８】
従って、利用者の環境は益々改善される。金融機関、国債の発行を行う機関の競争を促進させるから、国、地域を問わずにこれらの金融機関の体質も向上して、利用者は、さらなる便宜を得ることになる。
【００２９】
２６は地球上全てを網羅する通信衛星であって、２７は衛星通信網である。インターネットはじめ各種の高速回線をサービスする。２８は通信衛星からの電波、無線インターネットを示す。
【００３０】
２９は世界の通信情報網間を接続する通信線であって、３０は２６の通信衛星からの電波を受信して国際通信情報網２１に接続するゲートウエイ基地局である。図２では、一箇所しか示していないが地球上の適当な個所に複数設置されている。
【００３１】
３１はゲートウエイ基地局からの専用線で、３２は衛星通信網の出入り口である、国際通信情報網上に設けたサイトである。
【００３２】
国際情報通信網２１は、衛星通信網２７をふくめてグローバルネットワークである。地球上のある地域に大災害が起こって、地域と国際間を結ぶ通信情報網が破壊されたときには、衛星通信網２７はバックアップの機能があるから、ユーザーは、安心して生活と仕事、事業を行なうことができる。
【００３３】
図３は、年金生活者がよりよい生活を過ごすために年金を外国で運用するための、年金演算プロセッサーである。このプロセッサー４１は、原資である国内の様々な年金をどの国に預ければいくらの金利が得られるか、即座に計算して運用者に示すことができる。
【００３４】
４１の内部は、４３の通信インターフェース、４４のアンテナ、４５のＣＰＵユニット、４６のメモリユニット、内部バス４２と外部装置とのインターフェース４７よりなる。外部装置は、操作部ビュアーとしてのＰＣ４８、とデータベース４９，５０が接続されている。さらに無線によって５１の携帯電話機、携帯情報端末機とも接続している。
【００３５】
４１の年金プロセッサーは、激動する世界の為替、金利の情報を素早くとりこむ。そのために４３の通信インターフェースは、国際通信網２１さらに衛星通信網とも３０、３２を介して接続している。瞬時の情報を４１のプロセッサーによってどこでの入手できる。
【００３６】
年金生活者が預けている原資を個人別に計算する。４３より入ってきた情報を４５のＣＰＵユニットは、４７の外部インターフェースを通じてデータベース４９，５０より個人情報値と演算して４８、５１の端末機の要請によって表示する。
【００３７】
４６のメモリユニットは、個人情報と過去の金利、為替のデータが格納されているデータベース４９，５０からデータを取り出して最新のデータと比較し、有利な条件を計算するためのデータユニットである。このような構造にしておくと最新データが入力されると直ちに年金原資を有利な金利に移行できる。
【００３８】
携帯電話機より暗証番号等を入力して個人認証を行い、年金演算プロセッサー４１にアクセスして、プロセッサーが計算した値によって利ざやの増減は、ひと目でわかる。海外での年金生活を享受するために世界金融の動きを把握して有利な条件にもっていく必要がある。４１の年金演算プロセッサーは、国内はもとより、年金生活者の居住する地域にどこにでも容易における。運用を自分でやっても良いし、代理人に任せてもよい。
【００３９】
図３は、第１実施形態をフロー図で示したものである。Ｓ３０１は、企業等をリタイヤして年金生活にはいった。Ｓ３０２は、年金、株等の配当金で生活は十分かどうかチェックする。Ｓ３０３は、年金ではとても生活できないことがわかったので、他国に移住を決意した。
【００４０】
Ｓ３０４では、はじめに決めた国で十分に生活を享受できるか、さらに検討する。この時点では、検討の段階であってまだ実際には第三国に移住してない。
Ｓ３０５は、第２の人生を生活する国が決まった。次は、自国から支給される年金等を預ける、金利の良い第３国の金融商品を探す。年金、預金を預ける国は一カ国でなくても良い。危険分散のために数カ国に分散するのも、一方法である。
【００４１】
Ｓ３０６では、年金、配当金の類を預ける第３国の金利、利息の利回りの高さを検討する。その結果、当初の国の金利が良くなかった。Ｓ３１１では、さらに利回りの良い国の金融商品を探す。Ｓ３０７は、当初決めた第３国への預貯金の金利は予定どうり高かった。  生活環境と物価の安い他国、図１のＢ国で生活する。
【００４２】
Ｓ３０８は、生活費が余ったかどうかチェックして、生活費に余裕があったら、Ｓ３１３で残余金をＳ３０５に戻って、さらに利回りの良い国の金融商品を探す。Ｓ３０９は、年金で生活するには快適で十分であるから、図１のＢ国にて生活をする。
【００４３】
Ｓ３１０は、快適な生活できる方法をさらに探す。他国、自国の金融商品、移住先をＳ３０３に戻ってさらに検討する。Ｓ３１１は、自国、他国のもっと高利回りの金融商品を探す。Ｓ３１２にて、満足する金融商品が見つからないときには、Ｓ３０５に戻ってさらに探す。満足する金融商品が見つかったら、Ｓ３０９にて、図１のＢ国で生活を享受する。
【００４４】
本実施形態は、年金生活者が快適な生活を維持するための方策について説明したが先に述べたように、事業者、知的な個人で仕事を営む人達も本例のように、快適な生活を享受できる。
【００４５】
［第２実施形態］
【００４６】
次に、本発明による第２実施形態を図５に基づいて説明する。システム構成は、全体ブロック構成で示した図１、図２及び図３の構成と同一である。本実施形態は、移住先、仕事事業先の国の政情が不安定な場合とか又、第３国に預けた預貯金の金利、元本が不安定な場合に備えて、保険をかけるシステムである。
【００４７】
さらに、預貯金に国際保険がかからない場合もあるから、危険分散のために預貯金を政情の安定した数カ国の通貨に預けるシステムである。
【００４８】
Ｓ４０１は、第一線をリタイヤして年金生活が始まった。Ｓ４０２は、物価の安い、環境の良い国への移住を検討する。Ｓ４０３は移住先の国の安定性について、チェックをおこなう。  Ｓ４０４では、移住先の政情、先行きの政治情勢の安定性、経済情勢、生活の享受性、防犯、防災についても検討する。
【００４９】
移住先の国が不安定な場合は、Ｓ４０９にて生命、家屋、家財、車等に保険をかける。  国籍のある自国の保険会社でもよいし、安定した国の国際保険でもよい。Ｓ４０５は、移住先にて生活を開始する。
【００５０】
Ｓ４０６は、預貯金した第３国の金利の良さと安定性につきチェックする。  その国の経済情勢、政治情勢、世界の何処かで戦争、紛争がおこった時に通貨は大きく変動する。金利、利息、株価も同様である。
【００５１】
Ｓ４０７にて、不安定であればＳ４１０で他国に預貯金を移すか、預貯金に国際保険が掛けられれば、保険をかける。Ｓ４１１で危険分散のため金利のよい他国に移す。安定性を求めるなら、数ヶ国に分散したほうがよい。
【００５２】
Ｓ４１３は、数カ国に分散して危険を回避する。  主要通貨のユーロ、ドル、円は安定している。  しかし、金利は、それほど高くはないかもしれない。Ｓ４１２は、金利の比較的良い安定した国が見つかったのでこちらに移す。  さらに高収益を得るために為替変動を利用するのも一方法である。  年金生活者は、勤労収入がないから預貯金の利息、株の配当、為替の差益が収入源である。
【００５３】
Ｓ４０８は、生活環境のよい国に居住して、金利の良い国に年金を預貯金して、あるいは、預貯金を危険分散のために数カ国に移す。  比較的金利は、高くないが安全で平均的な利息が得られて、良好な生活を享受できる。本実施例は、年金生活者だけでなく、事業者、個人で仕事をする人達にも適用する。
【００５４】
［第３実施形態］
【００５５】
次に、本発明の第３実施形態を図６に基づいて説明する。  本実施形態では、年金生活者が快適に、金銭に困らないで生活できるための支援、サービスを業とする代理業務と、その経費の課金に関する。さらに、現地で事業を行なう人、個人で仕事を行なう人達の支援、サービスを行なう。
【００５６】
Ｓ５０１は、年金生活者へのサービスを提供する代理業務である。Ｓ５０２は、これから年金生活に入る人が相談を受けてガイダンスと諸々の事項に解答を示すコンサルタント業務である。  他国で事業を行なったり、個人で仕事を行なう人達の相談もうける。
【００５７】
図６のＳ５０３において、年金生活者の希望を聞いてコンサルテングを行う。本人がもらう年金の額、保有する財産、移住先、年金の運用等諸々ある。
【００５８】
年金生活者の希望、条件が決まったのでＳ５０４でサービス代理会社は、実施計画を策定して、Ｓ５０５で現地に下見したり、体験生活を少ししてみる。Ｓ５０６では、本人が気に入ったかどうか判断する。気にいらなければ、Ｓ５１１で適当な場所が探せるまで、Ｓ５０５、Ｓ５０６、Ｓ５１１のステップを繰り返す。
【００５９】
気に入ったところが見つからない場合には、振り出しに戻ってＳ５０１から再度、コンサルタントに依頼して、満足のいく場所の選定をおこなう。事業を他国で行なうもの、個人で仕事を行なう人達も同様である。
【００６０】
Ｓ５０７では、気に入った場所が見つかって、条件も揃った。そして現地で第２の人生のスタートが始まった。Ｓ５０８は、代理店に必要な諸経費の支払いをおこなう。年金生活者が海外で生活する場合の健康管理から日常生活の仔細にいたるまでサービス、ケアをサービス代理会社は、業としてのサービス提供して年金生活者から報酬として諸経費をもらう。
【００６１】
Ｓ５０９は、年金の運用、第３国への預貯金、外貨預金をサービス代理会社に頼んで運用している場合、利益が出て儲かったときに代理店に予め契約した掛け率、例えば利益の５％とか、３％とか予め、契約した掛け率を、手数料としてをＳ５１２で、代理店、エージェントに支払う。
【００６２】
利益、余剰金がでなければ支払う必要はない。Ｓ５１０において、年金生活者は、海外で生活を楽しむ。事業者、個人で仕事をする人たちは、図２の高速国際通信情報網２１を駆使して仕事をおこなう。
【００６３】
リスクの回避のためにサービス代理会社は、複数以上の年金生活者を集めて、又事業者を集め、まとめて第３国への預金、外貨預金をおこなう。これによって、年金生活者、事業者が、単独で行うより危険分散ができるし利益があがれば、サービス会社の取り分も多くなる。サービス代理会社の事業も成り立つ。
【００６４】
サービス代理会社は、海外年金生活者の資金の運用を行う事によって、運用利益をあげることができる。一方、年金生活者は煩わしい運用管理を一括してサービス代理会社にまかせて運用益も得られる。まさに、一挙両得である。
【００６５】
サービス代理会社は、海外に詳しいシニアを上手く使うことを考える。経済発展のおかげで、海外各地に駐在して活躍した企業、官庁、団体のＯＢは、多い。これらの人達は、現地に精通しているから言葉、生活習慣の課題を上手く処理できという手腕をもっている。
【００６６】
現地政府機関との交渉、病院、郵便局等公共団体との折衝の役割を容易にはたせる。この様なシニアを上手く活用して、末永く勤労の恩恵とそれによって得られる、利益を年金生活者、フォローするシニア双方とも快適な生活を享受できる。
【００６７】
さらに従属的な単純作業は、現地人の仕事にする。簡単な事務作業、オフィス、居住用家屋の保全、等の作業は労務費の安価な地域であるから現地人を採用する。居住国の雇用の促進にもなって、現地の通信、インフラも使用するから現地政府も豊かになって、共生、グローバル化が進む。
【００６８】
本発明でいう他国、第３国で行なう事業者、個人で仕事をする人達は、図１において、Ａ国の国籍、住民登録をしている人達である。これらの仕事は、自国であるＡ国で発生する仕事と、他の国とＡ国又は、他国間にまたがる仕事、事業である。原則、他国で生活を営む居住国の仕事は特例を除いては儲け、収入のある事業は同国の許可がない限りしない。
【００６９】
【発明の効果】
本発明は、以上のように構成され機能するので、これによると企業、官庁等を定年になって年金生活に入り、より快適な生活を求めたり、年金だけでは生活出来ない場合に、金利の高い安定した国に年金を預けて運用して、物価の安い気候の温暖な国に居住して生活を享受できる。
【００７０】
通信インターフェース、ＣＰＵユニット、メモリユニットからなる年金演算プロセッサーは、刻々変わる世界の金融情報を瞬時に入力して、個人別の年金原資をベースにした利益を即座に計算できる。金利の良い方へ年金原資を移して利ざやを多くすることが可能である。
【００７１】
普通の事業者、個人で仕事をする人達も環境の良い他国で、高度に発達した国際通信情報ネットワークを駆使して、効率よく業務が達成できて生活も享受できるという有効性がある。
【００７２】
このようなサービス代理を行うサービスを業とする会社が運営することによって、年金生活者は煩わしい業務から開放される。サービス代理を業とする会社は、年金を金利の高い第３国に預けて、利益がでれば一定の割合で経費を年金生活者から徴収して、サービス会社の運用経費にする。  事業者、個人で仕事をする人達も同様である。
【００７３】
かつ、海外駐在員を経験したシニアをサービス代理会社は使って、年金生活者が居住する地域において、日常生活のサポートを行う。言葉をはじめ、現地での生活の面倒を見ることができるから、年金生活者は快適な第２の人生を享受できる。
【００７４】
又、事業者、個人の仕事のサーポート業務に熟練したシニアの人達とそれに伴って現地人の雇用が進むから、国際的な友好関係を築くことにもなる。グローバルな世界共生関係が成り立って、国際間にわたって相互の国の発展になる。
【図面の簡単な説明】
【図１】実施形態の全体構成を示すブロック図である。
【図２】図１のお金の流れを示すネットワークシステムを示す図である。
【図３】年金、各国の金利から利益を計算する年金演算プロセッサーである。
【図４】第１実施形態のフローチャートである。
【図５】第２実施形態のフローチャートである。
【図６】第３実施形態のフローチャートである。
【符号の説明】
１１          Ａ国
１２          Ｂ国
１３          Ｃ国
１４          Ｂ国とＣ国のお金の流れ
１５          Ａ国からＣ国へ年金の送金の流れ
１６          Ａ国とＢ国との人の往来
２１          国際通信情報ネットワーク
２２          Ａ国の通信情報ネットワーク
２３          Ｂ国の通信情報ネットワーク
２４          Ｃ国の通信情報ネットワーク
２５、２５ｍｎ他国の通信情報ネットワーク
２６          通信衛星
２７          通信衛星網
２８          衛星電波
２９          国際ネットワーク通信回線
３０          衛星ゲートウエイ基地局
３１          専用線
３２          衛星基地局ウエブサイト
４１          年金演算プロセッサー
４２          システムバス
４３          通信インターフェース
４４          アンテナ
４５          ＣＰＵユニット
４６          メモリユニット
４７          外部インターフェース
４８          ＰＣ，デスプレイ
４９、５０    データベース
５１          携帯情報端末機、携帯電話機
５２          電波
【図１】
2004280762.tif 000003
【図２】
2004280762.tif 000004
【図３】
2004280762.tif 000005
【図４】
2004280762.tif 000006
【図５】
2004280762.tif 000007
【図６】
2004280762.tif 000008